(57)【要約】【課題】  入隅部の施工において、クロスが縒れてシワが発生したり、クロス同士に目透きが目立つことのない入隅用下地コーナー材を得る。【解決手段】  クロス張りされる２つの壁面が交わる入隅部の交線に沿って配される長尺体である入隅用下地コーナー材であって、入隅部の一方の壁面に固着されてクロスで覆われる一方の幅広長尺片と、この幅広長尺片と交叉する幅狭長尺片との２つの長尺片が長手方向に沿って交わった略Ｌ字状の断面形状を有し、前記幅広長尺片のクロスで覆われる面に略平行な幅狭長尺片の長尺端面が露出可能な表出面であるもの。【選択図】      図１
2007023732.tif 000002
【特許請求の範囲】
【請求項１】
クロス張りされる２つの壁面が交わる入隅部の交線に沿って配される長尺体である入隅用下地コーナー材であって、
入隅部の一方の壁面に固着されてクロスで覆われる一方の幅広長尺片と、この幅広長尺片と交叉する幅狭長尺片との２つの長尺片が長手方向に沿って交わった略Ｌ字状の断面形状を有し、
前記幅広長尺片のクロスで覆われる面に略平行な幅狭長尺片の長尺端面が露出可能な表出面であることを特徴とする入隅用下地コーナー材。
【請求項２】
前記幅狭長尺片に対して幅広長尺片の対向部に、前記２つの壁面の他方に当接する当接片が形成されていることを特徴とする請求項１に記載の入隅用下地コーナー材。
【請求項３】
前記入隅部の一方の壁面に仮止めする粘着テープを幅広長尺片に備えたことを特徴とする請求項１又は２に記載の入隅用下地コーナー材。
【請求項４】
請求項１〜３の何れか１項に記載の入隅用下地コーナー材を用いた内装施工法であって、
前記幅狭長尺片を他方の壁面に対して間隙を開けた状態で、前記幅広長尺片を入隅部の一方の壁面に固着する工程と、
固着されたコーナー材の幅広長尺片を一方の壁面に対して段差をなくして平坦な面を形成するようにパテ材を塗布する工程と、
前記表出面を露出させるように一方の壁面にクロスを貼着すると共に他方の壁面にクロスを貼着して、前記間隙にクロスの端縁が装入された状態とする工程とを備えたことを特徴とする入隅用下地コーナー材を用いた内装施工法。
【発明の詳細な説明】
【技術分野】
【０００１】
本発明は、例えば石膏ボード等のクロス下地同士がほぼ直角に結合された入隅に使用される入隅用コーナー材に関するものである。
【背景技術】
【０００２】
建物の内装工事では、壁紙、布地、合成樹脂クロス等の壁装材（クロス）で施工することが主流となっている。この種の壁装材（クロス）を貼着する場合、美麗な仕上げを得るためには、下地面を凹凸のない平坦な面に仕上げておく必要がある。通常用いられる石膏ボードや合板の表面は平滑であるが、その接合部は継目が表出する。そのため、石膏ボ−ドや合板の接合部をパテ処理して平滑にする。特に、出っ張った側の角である出隅部や、凹んでいる側の角である入隅部では石膏ボードや合板の接合部にあたる場合が多く、その下地仕上げが面倒の多いものであった。
【０００３】
建物の壁面の出隅部や入隅部を平坦に先仕上るために、薄い軟質合成樹脂製の断面Ｌ型のコーナー材を出隅部や入隅部にあてがって角を出し、パテ等で各壁面を平坦化することにより、建物の出隅部及び入隅部の施工が行われている（例えば、特許文献１参照）。
【特許文献１】特開平９−３０２８８８号公報
【発明の開示】
【発明が解決しようとする課題】
【０００４】
このようなコーナー材を用いる施工は、特に出隅部の施工においては、シャープな角が形成されるため、内装施工の主流となっている。しかしながら、入隅部の施工においては、凹んでいる角を跨ぐように壁装材（クロス）を貼着すると、地震等による建築躯体の動きによりクロスが縒れてシワが発生する場合もあった。また、角部でクロスを破断して壁面の各々にクロスを貼着するとクロスが縮み、クロス同士に隙間、所謂「目透き」が発生する。
【０００５】
本発明は、入隅部の施工において、クロスが縒れてシワが発生したり、クロス同士に目透きが目立つことのない入隅用下地コーナー材及びそれを用いた内装施工法を得ることを目的とする。
【課題を解決するための手段】
【０００６】
請求項１に記載された発明に係る入隅用下地コーナー材は、クロス張りされる２つの壁面が交わる入隅部の交線に沿って配される長尺体である入隅用下地コーナー材であって、
入隅部の一方の壁面に固着されてクロスで覆われる一方の幅広長尺片と、この幅広長尺片と交叉する幅狭長尺片との２つの長尺片が長手方向に沿って交わった略Ｌ字状の断面形状を有し、
前記幅広長尺片のクロスで覆われる面に略平行な幅狭長尺片の長尺端面が露出可能な表出面であることを特徴とするものである。
【０００７】
請求項２に記載された発明に係る入隅用下地コーナー材は、請求項１に記載の幅狭長尺片に対して幅広長尺片の対向部に、前記２つの壁面の他方に当接する当接片が形成されていることを特徴とするものである。
【０００８】
請求項３に記載された発明に係る入隅用下地コーナー材は、請求項１又は２に記載の入隅部の一方の壁面に仮止めする粘着テープを幅広長尺片に備えたことを特徴とするものである。
【０００９】
請求項４に記載された発明に係る入隅用下地コーナー材を用いた内装施工法は、請求項１〜３の何れか１項に記載の入隅用下地コーナー材を用いた内装施工法であって、
前記幅狭長尺片を他方の壁面に対して間隙を開けた状態で、前記幅広長尺片を入隅部の一方の壁面に固着する工程と、
固着されたコーナー材の幅広長尺片を一方の壁面に対して段差をなくして平坦な面を形成するようにパテ材を塗布する工程と、
前記表出面を露出させるように一方の壁面にクロスを貼着すると共に他方の壁面にクロスを貼着して、前記間隙にクロスの端縁が装入された状態とする工程とを備えたことを特徴とする方法である。
【発明の効果】
【００１０】
本発明は以上説明した通り、入隅部の施工において、クロスが縒れてシワが発生したり、クロス同士に目透きが目立つことがない入隅用下地コーナー材及び施工法を得ることができるという効果がある。
【発明を実施するための最良の形態】
【００１１】
本発明においては、クロス張りされる２つの壁面が交わる入隅部の交線に沿って配される長尺体である入隅用下地コーナー材であって、入隅部の一方の壁面に固着されてクロスで覆われる一方の幅広長尺片と、この幅広長尺片と交叉する幅狭長尺片との２つの長尺片が長手方向に沿って交わった略Ｌ字状の断面形状を有し、前記幅広長尺片のクロスで覆われる面に略平行な幅狭長尺片の長尺端面が露出可能な表出面であるため、表出面はクロスで覆われず、クロスは２つの壁面の各々に貼着される。このため、地震等による建築躯体の動きがあっても、クロスが縒れてシワが発生することがない。また、クロス同士の境界はコーナー材の表出面が現れるため、目透きが目立つことがない。
【００１２】
本発明のコーナー材は、入隅部の一方の壁面に固着して、その上層にパテ材が良好に保持されればよく、その材質は問わない。例えば、金属製、樹脂製、竹製、木製でもよく、ＡＢＳ、塩ビ、ＰＥＴ等の樹脂製が軽く取り扱いも便利である。
【００１３】
また、好ましくは、コーナー材の上層から塗布されるパテ材が、コーナー材及び壁材に良好に保持させるため、コーナー材の幅広長尺片には、多数の貫通孔が形成される。
【００１４】
本発明のコーナー材は、幅広長尺片と幅狭長尺片とを備えた略Ｌ字状の断面を備えればよい。幅広長尺片は入隅部の一方の壁面に固着させ、幅狭長尺片は他方の壁面に対して間隙を開けて設定される。隙間は少なくとも他方の壁面に貼着されるクロスの厚みよりも大きく、他方の壁面に貼着されたクロスの端縁が隙間に装入された場合に、隙間が開きすぎない程度に設定される。好ましくは、０．１〜０．５ｍｍ程度の厚さのクロスに対しては、間隙は１ｍｍ程度として、クロス端縁を挿入した際に残った間隙が好ましくは１ｍｍ以下、０．５ｍｍ以上となるようにする。
【００１５】
本発明のコーナー材の幅広長尺片と幅狭長尺片とのなす角度は、入隅部の２つの壁面のなす角度に応じる。多くの場合は、入隅部は直交しているため、幅広長尺片と幅狭長尺片とのなす角度は９０°であるが、対応する入隅部の角度がこの９０°よりも小さくても、大きくてもその角度に応じて適用することができる。尚、本発明での入隅部を構成する壁面としては、壁面同士、壁面と天井面、天井面同士を含む。具体的には、舟形天井面などは天井を構成する２つの天井面同士のなす角度は９０°よりも大きく、１１０〜１２０°であるため、その角度に応じた幅広長尺片と幅狭長尺片との角度のコーナー材を用いることにより、適用することができる。
【００１６】
本発明のコーナー材を入隅部に一定の幅に固着することは難しい。そのため、好ましい態様としては、幅狭長尺片に対して幅広長尺片の対向部に、前記２つの壁面の他方に当接する当接片が形成される。この当接片を対向する他方の壁面に当接させながら幅広長尺片を一方の壁面上に固着することにより、一定の間隙を形成させながら、本発明のコーナー材を入隅部に固着することができる。
【００１７】
この当接片の幅は、間隙の幅となるため、前述のように施工されるクロスの厚さに応じて選択すればよい。また、当接片はコーナー材を一方の壁面に固着する際に間隙形成を良好に形成せるものであるため、長手方向に連続又は不連続に設けられればよい。
【００１８】
本発明のコーナー材の表出面の幅は幅狭長尺片の厚さに相当する。この幅（幅狭長尺片の厚さ）については、入隅部の２つの壁面にクロスが各々貼着された際に、表出されるため、種々の幅にすることができる。例えば、１ｍｍ〜２０ｍｍ程度の幅にすることも可能である。
【００１９】
本発明のコーナー材の表出面の高さ位置は幅広長尺片の幅に相当する。この高さ位置（幅狭長尺片の幅）については、施工されるクロスの厚さ及びパテ材の厚さに応じて選択すればよい。即ち、幅広長尺片の上に覆って施工されるクロスの厚さよりも低い高さ位置では施工後にクロスの剥がれ等が生じてしまい易いため、施工されたクロス表面の高さ位置よりも高い高さ位置であればよく、例えば１ｍｍ以上とする。逆に、施工されたクロス表面のよりもあまりに高い高さ位置だと、施工後に幅狭長尺片が折れたり、幅狭長尺片に力が加わった際にコーナー材の一方の壁面への固着が外れる等の影響が出るため、２０ｍｍを越えない高さ位置とすることが好ましい。
【００２０】
また、本発明のコーナー材の表出面や幅広長尺片の色や模様についても、施工されるクロスに応じて、表出面が際立つような色や模様を選択することも可能であるし、表出面が施工されるクロスに溶け込むような色や模様を選択することも可能である。例えば、表出面の幅及び高さ位置、即ち、幅広長尺片の厚さ及び幅を、２０ｍｍ×２０ｍｍとし、模様及び色を木製の風合いにデザインすることにより、一方の壁面が木枠で区切られたようなデザインとすることができる。より具体的には、入隅部の何れかの壁面を天井面として天井面を囲むよう本コーナー材を施工することにより、天井面が木枠で囲まれたデザインとすることもできる。
【００２１】
また、本発明のコーナー材のより好ましい態様としては、入隅部の一方の壁面に仮止めする粘着テープを幅広長尺片に備える。これにより、コーナー材を一方の壁面に仮止めして状態を確認した後に、タッカ等で固定することができる。
【００２２】
本発明の入隅用下地コーナー材を用いた内装施工法は、次のような工程で施工することが可能である。即ち、幅狭長尺片を他方の壁面に対して間隙を開けた状態で幅広長尺片を入隅部の一方の壁面に固着する工程と、固着されたコーナー材の幅広長尺片を一方の壁面に対して段差をなくして平坦な面を形成するようにパテ材を塗布する工程と、前記表出面を露出させるように一方の壁面にクロスを貼着すると共に他方の壁面にクロスを貼着して、前記間隙にクロスの端縁が装入された状態とする工程とを備える。これにより、本発明のコーナー材を良好に施工することができる。本発明のコーナー材を用いると、入隅部の２つの壁面の縁を着ることができるため、地震等による建築躯体の動きがあっても、クロスが縒れてシワが発生することがない。
【００２３】
本発明での入隅部の２つの壁面のうち、幅狭長尺片と間隙を開けられる他方の壁面へのクロスの貼着は、本発明のコーナー材の一方の壁面への固着前でも後でもよい。即ち、前記間隙は、貼着されるクロスの厚さ以上に設定されるため、コーナー材固着後にクロスを貼着しても端縁部を間隙に装入することができるためである。
【００２４】
また、他方の壁にクロスを貼着した後に、間隙部分にクロスの剥がれを防止するコーキング材等を充填する工程を更に備えることにより、クロスの目透き防止効果を更に向上させることができる。
【実施例】
【００２５】
図１は本発明の一実施例の入隅用下地コーナー材の構成を示す説明図であり、ａ図は平面図、ｂ図は断面図である。図に示す通り、本実施例のコーナー材１０は、全長２５００ｍｍであり、入隅部の一方の壁面に固着されてクロスで覆われる一方の幅広長尺片１２と、この幅広長尺片１２と直交する幅狭長尺片１４との２つの長尺片が長手方向に沿って交わった略Ｌ字状の断面形状を有している。即ち、従来の断面がＬ字状のコーナー材と相違して、幅狭長尺片１４の幅が幅広長尺片１２の幅に比べて極端に短い。
【００２６】
例えば、幅が２６ｍｍの幅広長尺片１２は、略Ｌ字断面の外方へ向かうほど厚さが薄くなり（最大厚さ０．７ｍｍ、最小厚さ０．４ｍｍ）、表面から裏面へ貫通したパンチ穴１６が長手方向に３列互い違いに穿設されている。このパンチ穴は直径が３ｍｍ〜５ｍｍ程度で、幅広長尺片１２の上層から塗布されるパテ材２４が幅広長尺片１２及び壁面２０に良好に保持される。
【００２７】
また、幅広長尺片１２の裏面には、１０ｍｍ幅の粘着テープ１８が貼着されており、コーナー材１０を一方の壁面３２に仮止めして状態を確認した後に、タッカ等で固定することができる。
【００２８】
幅広長尺片１２からの立ち上がり高さが２．５ｍｍの幅狭長尺片１４は、幅が１ｍｍであり、この１ｍｍの幅の長尺端面がクロスで覆われない表出面２０となる。また、幅広長尺片１２の幅狭長尺片１４との固定端には、幅１ｍｍの当接片２２が長手方向に連続して形成されている。
【００２９】
このようなコーナー材１０を用いた内装施工は次の通りである。図２及びず３に示す通り、コーナー材１０の粘着テープ１８の剥離紙（図示せず）を剥離した状態で、入隅部３０の第１壁面３２に長手方向にコーナー材１０を仮止めする。この際、当接片２２を第２壁面３４に当接させながら固着させることにより、第２壁面３４に対して１ｍｍの間隙を開けた状態で固着することができる。仮止めした後に、一般のステープラの針のようなコ字状のタッカ（図示せず）でコーナー材１０を第１壁面３２に固定する。
【００３０】
固定されたコーナー材１０の幅広長尺片１２を第１壁面３２に対して段差をなくすようにパテ材３８で平坦な面を形成する。
【００３１】
表出面２０を露出させるように第１壁面３２にクロス３８を貼着する。また、第２壁面３４にクロス４０を貼着して形成された間隙４２にクロス４０の端縁が装入する。尚、コーナー材１０を固着する前に、クロス４０を第２壁面３４に予め貼着してもよい。また、間隙４２部分にクロス４０の剥がれを防止するコーキング材４４を充填する。
【００３２】
本実施例以外にも、表出面２０を備えたコーナー材１０の他の例は種々ある。例えば、天井面と壁面との入隅部に設置する場合には、表出面２０の幅及び高さ位置を大きくすることにより、天井面を枠で囲ったように設置することも可能である。
【図面の簡単な説明】
【００３３】
【図１】本発明の一実施例の入隅用下地コーナー材の構成を示す説明図であり、ａ図は平面図、ｂ図は断面図である。
【図２】図１の入隅用下地コーナー材の施工工程を示す斜視図である。
【図３】図１の入隅用下地コーナー材の各施工工程後の状態を示す断面図である。
【符号の説明】
【００３４】
１０…コーナー材、
１２…幅広長尺片、
１４…幅狭長尺片、
１６…パンチ穴、
１８…粘着テープ、
２０…表出面、
２２…当接片、
３０…入隅部、
３２…第１壁面（一方の壁面）、
３４…第２壁面（他方の壁面）、
３６…パテ材、
３８…クロス、
４０…クロス、
４２…間隙、
４４…コーキング材、
【図１】
2007023732.tif 000003
【図２】
2007023732.tif 000004
【図３】
2007023732.tif 000005